(57)【特許請求の範囲】
【請求項１】
鍵穴と錠部材挿通穴を設けたケースと、
前記鍵穴に向かって下り勾配の傾斜面を有する錠部材押下用部材が所定位置に固定された錠部材であって、嵌入用凹部方向に付勢され、前記錠部材挿通穴に挿通可能な錠部材と、
前記錠部材を嵌入用凹部と錠部材挿通穴を結ぶ線方向に移動可能に保持する錠部材保持具と、
前記ケース内面の所定位置に押圧・回動可能に取り付けられ、鍵穴方向に付勢された回動片と、
前記回動片と一体的に回動する錠部材押下阻止片と、
前記ケースと接触する面に錠部材嵌入用凹部が設けられ、一方の端部に固定手段が設けられ、ほぼ中央部で前記ケースに回動可能に取り付けられた固定金具と、
前記固定金具の回動を制限する固定金具回動阻止手段と、
前記鍵穴から鍵が挿入される鍵の挿入路部材を備え、
挿入された鍵が前記回動片を押圧・回動でき、かつ前記錠部材押下用部材を押下げ、前記錠部材も押下げることができる機構を備える錠前と、鍵とから構成されることを特徴とする固定具。
【請求項２】
錠前が、Ｌ字型金具と、掴み部材と、連結部材、及び拘止具を具備し、錠前の開錠状態を保持する固定金具拘止装置を更に備える錠前であって、
前記連結部材は、前記Ｌ字型金具とケースの外面に固定された固定金具とを連結し、
前記Ｌ字型金具は、一方の端部に連結部材接続用穴及び掴み部材接続用穴を設け、他方の端部にケース接続用穴を設けたＬ字型金具であって、前記固定金具が固定されたケースの外面と異なるケースの外面の所定位置に前記ケース接続用穴にて回動自在に固定され、
前記掴み部材は、前記Ｌ字型金具と回動自在に接続され、
前記拘止具は、前記掴み部材を着脱自在に拘止する拘止具であって、前記Ｌ字型金具が固定されたケースの外面と異なるケースの外面の所定位置に固定され、
前記連結部材の長さは、前記Ｌ字型金具を回動させ、掴み部材を拘止具に拘止させ、固定金具の開錠状態を保持することができるだけの長さである
ことを特徴とする錠前である請求項１記載の固定具。
【請求項３】
請求項１又は２記載の固定具を備えた自転車。
【発明の詳細な説明】
【技術分野】
【０００１】
本発明は、新規な固定機構を備える錠前と、鍵とから構成されることを特徴とする固定具に関し、移動可能な器具を、移動不可能な状態で固定することができる固定具に関する。さらには、例えば自転車などの二輪車において、スタンドを立て、起立状態とした場合、すなわち、駐輪状態とした場合、その状態で二輪車をロック状態にすることができ、二輪車を走行させることができないようにする固定具に関する。
【背景技術】
【０００２】
例えば自転車等の二輪車においては、通常、駐輪状態でそれらを自立させておくためのスタンドが具備されている。このスタンドは後輪軸の両端部付近において回動可能に取付けられている場合が多く、後部方向に跳ね上げることができるように構成された門形をなす両脚形スタンドや、後輪軸付近の一端側において回動可能に取り付けられるロッド状の片脚形スタンドが知られている。
【０００３】
自転車の駐輪状態のまま自転車から離れる場合には、盗難を防止するために自転車に錠をかけることになる。例えば、後輪軸に取付けられる固定板と、当該固定板に上端部を軸支させ、かつ固定板から離れた突状体を固着したスタンドと、当該固定板に支持され、スタンドの起立過程で前記突状体と係合して後退する一方スタンドの起立が完了すると前進して突状体を係止するロック体と、当該ロック体を解除する伝達ワイヤと、を具備する施錠機構がある（特許文献１）。この施錠機構は、ワイヤ類を介してロック体の施錠を解除する構成を採用するので、ワイヤを装置する必要があり、ワイヤの損傷による修理の問題、ワイヤの損傷による機能低下を招来するなどの使用上において多くの問題が生ずる。
【０００４】
その点、例えば、錠箱の内部に設けた錠突起部を突出させてロックレバーの回転動作を停止出来る構造とするものが知られている（特許文献２）。ここでは、開錠レバーを錠突起部の一部に設けた切欠部の中で回転させて、施錠状態の錠突起部を移動・開放する機構をとり、ワイヤ類を用いない施錠機構であって、上記ワイヤの問題点はないが、開錠レバーの回転は、開錠レバーに勘合する鍵の回転によって与えられる。この構造は鍵の回転という簡単な操作で開錠レバーを回転することができる点で有利であるが、防犯の点で問題がある。
【特許文献１】特開平９−５８５４２号公報
【特許文献２】特開２００１−２１３３７１号公報
【発明の開示】
【発明が解決しようとする課題】
【０００５】
この発明は、前記した自転車等の二輪車でのスタンドのロック装置の問題点を解決するとの観点に立ってなされたものであり、ワイヤを用いず、簡単な操作で施錠、開錠でき、しかも防犯性が高いロック状態にすることができる固定具を提供することである。さらに、前記二輪車のスタンドに限定されることなく、回転運動など各種運動しうる物を簡単な操作で、防犯性が高く着実にロック状態にすることができる固定具を提供することである。
【課題を解決するための手段】
【０００６】
前記課題は次のような固定機構により解決される。すなわち、
鍵穴と錠部材挿通穴を設けたケースと、
前記鍵穴に向かって下り勾配の傾斜面を有する錠部材押下用部材が所定位置に固定された錠部材であって、嵌入用凹部方向に付勢され、前記錠部材挿通穴に挿通可能な錠部材と、
前記錠部材を嵌入用凹部と錠部材挿通穴を結ぶ線方向に移動可能に保持する錠部材保持具と、
前記ケース内面の所定位置に押圧・回動可能に取り付けられ、鍵穴方向に付勢された回動片と、
前記回動片と一体的に回動する錠部材押下阻止片と、
前記ケースと接触する面に錠部材嵌入用凹部が設けられ、一方の端部に固定手段が設けられ、ほぼ中央部で前記ケースに回動可能に取り付けられた固定金具と、
前記固定金具の回動を制限する固定金具回動阻止手段と、
前記鍵穴から鍵が挿入される鍵の挿入路部材を備え、
挿入された鍵が前記回動片を押圧・回動でき、かつ前記錠部材押下用部材を押下げ、前記錠部材も押下げることができる機構。
【０００７】
前記機構において、錠部材、回動片、錠部材押下阻止片、固定金具回動阻止手段、及び鍵の挿入路部材は次のようであることが好ましい。
錠部材の一方の端部は前記錠部材挿通穴に挿通可能であり、錠部材は前記錠部材挿通穴方向に付勢されている。錠部材の他方の端部側には、前記鍵穴に向かって下り勾配の傾斜面を有する錠部材押下用部材が固定されており、当該錠部材押下用部材が押下げられれば、前記錠部材も押下げられる。挿入される鍵の一部が前記錠部材押下用部材の傾斜面を押圧しながら移動し、当該錠部材押下用部材を所定量押下げることができるように、錠部材押下用部材を錠部材に固定する。
上記回動片は、前記ケース内面の所定位置に固定されたヒンジに回動自在に固定される。回動片は前記錠部材挿通穴方向に付勢され、しかも挿入される鍵の先端部で押圧・回動されるよう受け具で調整されている。
前記錠部材押下阻止片は前記錠部材押下用部材の押下りを阻止できるよう、該錠部材押下用部材の押下り方向に配置される。該錠部材押下阻止片は前記回動片と一体的に固定されていることが好ましく、該回動片の回動に従い、回動し、該錠部材押下用部材は押下がることができる。
前記固定金具回動阻止手段は、前記固定金具が前記錠部材挿通穴の少なくとも一部を蓋うような状態となるよう固定金具の回動を制限する手段であって、前記付勢された錠部材が前記ケース内に保持できるよう固定金具の回動を制限する手段であれば特に制限されないのであり、例えば図１に示されるように前記固定金具の回動を制限する固定金具回動阻止用凸部をケース表面に設けてもよいし、あるいは図１に示されるバネを図１と反対側に設けて前記固定金具の回動を制限し、阻止させてもよい。
前記鍵の挿入路部材は、鍵が円滑に挿入でき、しかも、挿入された鍵の先端部が前記回動片を押圧・回動でき、挿入された鍵の前記先端部と異なる部分が前記錠部材押下部材を押下げることができるよう調整され、配置される。
【０００８】
前記錠前は、更に前記固定金具の拘止装置を備える錠前であってもよい。前記拘止装置としては、Ｌ字型金具と、掴み部材と、連結部材、及び拘止具から構成される拘止装置がある。この錠前は、錠部材の嵌入用凹部に錠部材が嵌入されていない状態の固定金具を保持することができる。
前記鍵は、回動片への押圧部及び錠部材押下部の傾斜面を押圧する押圧部を有する鍵であって、Ｌ字型又は逆Ｌ字型の断面形状の鍵であることが好ましい。さらに回動片への押圧部の先端部は丸みをもたせたることが望ましい。
【発明の効果】
【０００９】
本発明により、簡単な操作で、着実にしかも防犯性が高い固定具を提供できる。また、簡単な操作で、着実にしかも防犯性が高いロック状態にすることができる自転車等の二輪車用固定具を提供できる。さらに、前記二輪車に限定されることなく、回転運動など各種運動しうる物を簡単な操作で、着実にロック状態にすることができる固定具を提供できる。
また、本発明の固定具を自転車のスタンドに適用した場合、走行状態から駐輪状態に変えるときには、スタンドを起立状態にすれば。スタンドはロック状態になるので大変便利である。また、駐輪状態から走行状態に変えるときには、ケース本体の鍵穴から鍵を挿入し、固定金具を回動させた後に一時的に固定し、鍵を抜くとの操作を経てロック状態を開放することができるので有利である。
【発明を実施するための最良の形態】
【００１０】
以下、本発明の実施の形態を図に基づいて説明するが、本発明はこれら実施の形態に限定されない。
図１の（ａ）は本発明の錠前の一例を示す斜視図である。
鍵穴１９と錠部材挿通穴１８（図１には示していない）が設けられているケース１に、回動自在な固定金具２、前記固定金具の回動を制限する凸部１７、固定金具２を所定方向に付勢するバネ２１、および前記バネの係止具１６が設けられている。また、なお、固定金具２はボルト２２及びナット（図示していない）で回動自在に取り付けられている。鍵穴１９の形状は、鍵が挿入可能な形状であれば、どのような形状でもよい。鍵穴１９の位置は、本発明の効果がもたらされる限り，どの位置でもよい。ケースの大きさも特に制限されない。固定金具２の大きさは、その固定する機能を発揮できる大きさであれば、どのような大きさでもよい。特に、図に示すように、ケースの鍵挿入方向でのケースの長さよりも、固定金具２の長さが長い方が好ましい。
【００１１】
図２の（ａ）は前記ケース表面に配置される固定金具２を示す斜視図であり、図２の（ｂ）は前記固定金具２のケース表面と接触面から眺めた固定金具２を示す斜視図であり、固定金具２は、前記ボルトを中心として時計回転方向と反時計回転方向の両方向に回動できる。固定金具２の端部側には固定された所定の物（図示していない）を保持することが出来る固定用切欠部２３及び固定用凸部２４が設けられ、固定用凸部２４の近傍にバネ２１の係止穴２５が設けられている。
また、固定金具２のケース１に接触する面の所定部位には錠部材嵌入用凹部２６が設けられている。
なお、固定用切欠部２３が設けられた端部と反対の端部側には、回動された後の固定金具２を所定の位置に保持する連結部材２７（図２には示されていない）を支持する保持具２８が設けられることが望ましい。
【００１２】
図３の（ａ）は上記錠前を開錠するときに挿入する鍵穴の一例の正面図であり、図３の（ｂ）は前記鍵穴に挿入する鍵の一例を示す斜視図であり、図３の（ｃ）は正面図（図３の（ｂ）でのＤ方向からみた）である。
つまみ８１、つまみ８１と一体的に移動可能に固定・接続された鍵本体８からなり、鍵本体８の端部には、鍵挿入路に従って移動し、回動片４（図には示していない）を押圧・回動させる押圧部８２、及び、錠部材押下用部材３３（図には示していない）のなだらかな傾斜面に沿って移動し、錠部材押下用部材３３を押下げる押圧部８３が形成されている。
【００１３】
図４は上記ケースの内部の錠構造の主要部を構成する部品とそれら部品をどのように配置するかを示す斜視図である。
ケース１内には、所定方向に移動自在な錠部材３、前記錠部材を保持し、ケース１に固定される錠部材保持具３１、ケースの内表面の所定部位に固定されるヒンジ４１に回動可能に固定され、鍵穴１９方向に付勢され、受け具４２で所定状態を保ち、挿入された鍵により押圧・回動可能な回動片４、前記回動片４と一体的に接続し、前記回動片４と一体的に回動する錠部材押下阻止片４５、前記鍵穴から鍵が挿入される鍵挿入路６が設けられている。鍵挿入路６はほぼコ字型部材６１とほぼ逆Ｌ字型部材６２とを接合して形成されることが好ましい。
【００１４】
前記錠部材３は、その端部が前記ケースに設けられた錠部材挿通穴１８（図４には示されていない）を挿通し、前記固定金具に設けられた嵌入用凹部２６に嵌入されるようケース内に配置される。該錠部材３には、前記錠部材の端部と異なる端部側の所定位置に、前記鍵穴に向かって下り勾配のなだらかな傾斜面３５を有する錠部材押下用部材３３が固定されている。該錠部材３は、挿入される鍵８（図４には示されていない）の押圧部が錠部材押下用部材３３の傾斜面を移動できるように配置される。前記錠部材３は嵌入用凹部２６方向に付勢されている。該錠部材３はケース１に固定される錠部材保持具３１にて、嵌入用凹部２６と錠部材挿通穴１８を結ぶ線方向に移動自在に保持される。
前記錠部材押下用部材３３には、前記傾斜面３５と反対側の面に錠部材押下阻止片４５の受け部３４が設けられていてもよい。なお、この受け部を設けておかなくともよい。
前記錠部材押下阻止片４５は、錠部材の押下げ方向に、該錠部材の押下げを阻止できるように調整して配置する。また、前記錠部材押下阻止片４５は、前記受け部３４に前記錠部材の押下げを阻止できるように調整して接触させてもよい。
前記鍵挿入路６は、ケースに設けられた鍵穴１８から挿入される鍵の通路である。該鍵挿入路６は前記錠部材押下用部材３３の近傍に配置され、しかも、挿入・移動する鍵の押圧部８３（図には示していない）が、前記錠部材押下用部材３３のなだらかな傾斜面３５に沿って、錠部材３を押下げながら移動できるように、前記錠部材押下用部材３３の近傍に配置される。
前記回動片４は、前記鍵挿入路６の近傍に配置され、しかも、前記鍵穴１８から挿入され、移動する鍵の押圧部８２の先端部により押圧・回動されるように配置する。この回動片４の押圧・回動に従い、錠部材押下阻止片４５も回動されることになる。
【００１５】
以下、本発明の錠前の施錠状態について、図５に基づいて説明する。
図５の（ａ）は本発明の固定機構を備えた錠前において、施錠されたときの機構の要部の断面図であり、図１のほぼＡ−Ａ断面図である。図５の（ｂ）は本発明の固定機構を備えた錠前において、施錠されたときの機構の要部の（ａ）と異なる方向から見た断面図であり、図１のほぼＢ−Ｂ断面図である。
ケース１に固定された固定補助部材１５の所定位置に錠部材保持具３１は固定されている。該錠部材保持具３１で保持された錠部材３は嵌入用凹部２６方向にバネ３２で付勢されており、錠部材３の一方の端部は、ケース１に設けた錠部材挿通穴１８を挿通し、さらに固定金具２に設けた嵌入用凹部２６に嵌入、嵌合している。従って、固定金具２は回動不能となり、固定金具２は固定された状態となっている。
ケース１内面に固定されたヒンジ４１に回動自在に固定され、挿入された鍵により押圧・回動される回動片４（図５に示されていない）と一体的に回動する錠部材押下阻止片４５が、錠部材押下用部材３３に設けられた受け部３４に、錠部材押下用部材３３の先端部が所定の距離をおいて、しかもケース１の内面に対してほぼ垂直となるように接触している。かくして、前記錠部材３が押下げられ、嵌合された錠部材３が嵌入用凹部２６から外れることは阻止される。
すなわち、錠部材３の一方の端部は、固定金具２に設けた嵌入用凹部２６に嵌合しており、固定金具２は回動不能となり、固定金具２は固定された。そのうえ、嵌合された錠部材３は嵌入用凹部２６から外れないので、固定金具２に固定された物（図示されていない）は固定されたままの状態を保つことになる。
前記錠部材挿通穴の形状は本発明の所期の効果を達成することができる限り制限されないが、多角形が好ましい。前記錠部材の断面形状は前記錠部材挿通穴の形状と同様であることが好ましい。
【００１６】
以下、本発明の錠前の開錠状態について、図６に基づいて説明する。
図６の（ａ）は本発明の固定機構を備えた錠前において、開錠されたときの機構の要部の断面図であり、図１のほぼＡ−Ａ断面図であり、図６の（ｂ）は本発明の固定機構を備えた錠前において、開錠されたときの機構の要部の（ａ）と異なる方向から見た断面図であり、図１のほぼＢ−Ｂ断面図であり、図６の（ｃ）は図１の断面図と同様であり、回動片４を通る断面図である。
鍵挿入口から挿入され、ほぼコ字型部材の鍵挿入路６１を移動する鍵８の押圧部８２の先端部が回動片４に接触する。更に鍵８を移動させ、回動片４を押圧・回動させる。同時に錠部材押下阻止片４５も回動され、前記錠部材３が押下げられることが可能となる。前記鍵挿入路６を移動する鍵８の押圧部８３は錠部材押下用部材３３のなだらかな傾斜面に沿って、錠部材押下用部材３３を押下げながら移動し、該傾斜面の最高部まで移動する。
錠部材押下用部材３３が押下げられることは前記錠部材３が押下げられることであり、前記押圧部８３が前記傾斜面の最高部まで移動したときには、錠部材３は該錠部材押下用部材３３の両端の差ｆだけ押下げられる。固定金具２に設けた嵌入用凹部２６に嵌合している錠部材３の端部の長さがｆあるいはｆよりもやや短く調整されていれば、該押下げられた錠部材は前記嵌入用凹部２６から外れ、固定金具２は固定から開放され、回動可能となる。固定金具２が回動されると、固定金具２で固定された物（図示されていない）は固定から開放される。なお、鍵の押圧部８２の先端部が回動片４を押圧・回動させ、同時に鍵の押圧部８３の先端部が錠部材押下用部材３３の傾斜面を移動し始めるように調整することが有利である。また、錠部材押下阻止片４５の先端部を受け部３４に接触させる位置を調整して（図５の（ｂ））、鍵の押圧部８２の先端部が回動片４を押圧・回動させる前から、鍵の押圧部８３の先端部が錠部材押下用部材３３の傾斜面を移動し始めるように調整してもよい。すなわち、前記錠部材押下阻止片４５の先端部の接触位置の調整や、鍵の押圧部８２の先端部から押圧部８３の先端部までの長さａ(図３の（ｃ）、以下同様)、押圧部８３の先端部から凹部までの長さｂ、凹部からつまみ８１にいたる長さｃを変えることによって、開錠条件を変えることが可能となる。さらに、回動片４の設定位置により、開錠条件を変えることが可能となる。
さらに、例えば挿入した鍵をケースから引き抜いても、ケース１にも設けた錠部材挿通穴１８を挿通した錠部材３がケース１から飛び出さないように、錠部材挿通穴１８の少なくとも一部を固定金具が蓋うように固定金具の回動量を制限するための固定金具回動阻止手段（図示していない）により、錠部材３はケース内に保持される。
【００１７】
本発明の錠前の開錠状態を保持するため、固定金具拘止装置７をケース１の表面に設けることが好ましい。前記拘止装置７により、固定金具２を、連結部材２７を介して拘止することができ、前記固定から開放された固定金具２を所定の位置にて保持することができる。すなわち、開錠状態を保持することができる。また、必要に応じて、前記固定金具２の保持状態を開放することができる。
以下、図７に基づいて拘止装置７を説明する。図７は固定金具の拘止装置７を構成する部品とその位置関係を示す斜視図である。
拘止装置７は、Ｌ字型金具７１と、掴み部材７５と、連結部材２７、及び拘止具７７を具備する。すなわち、一方の端部に連結部材接続用穴７２及び掴み部材接続用穴７３を設け、他方の端部にケース接続用穴を設けたＬ字型金具７１、Ｌ字型金具接続用穴７６を設けた掴み部材７５、連結部材２７、及び拘止具７７から構成される。掴み部材７５は丸棒が好ましい。
【００１８】
Ｌ字型金具７１の端部はバネ２１と同じ側のケース側面にボルト及びナットで回動自在に固定される。Ｌ字型金具７１は前記ボルトを中心として、回動自在である。Ｌ字型金具７１の端部とボルト及びナットで回動自在に接続された掴み部材７５は、前記ボルトを中心として回動自在である。拘止具７７は、前記Ｌ字型金具７１が固定されているケース側面と異なる側面に、前記掴み部材７５が着脱自在に拘止できるように固定される。前記掴み部材７５はケース１の固定金具２配置表面よりも突出するように配置・固定することが好ましい。  
連結部材２７の一方の端部は、固定金具２の端部の連結部材用穴２８を挿通させ、次いでかしめ曲げ、連結部材２７が固定金具２から外れず、しかも移動自在に固定する。連結部材２７の他方の端部は、Ｌ字型金具７１の端部に設けた連結部材接続用穴７２を挿通させ、次いでかしめ曲げ、連結部材２７がＬ字型金具７１から外れないように固定する。連結部材２７の長さは、前記Ｌ字型金具７１を時計方向に回動させ、掴み部材７５が拘止具７７に拘止させることができ、固定金具２の開錠状態を保持することができるだけの長さとする。
【００１９】
前記拘止装置７の操作を図７及び８に基づいて説明する。
図８は固定金具２が拘止装置７により固定状態に保持されたときのケース１表面に設けた拘止装置７の斜視図である。掴み部材７５を持ち上げてＬ字型金具７１を時計方向に回動させ、ついで、掴み部材７５を時計方向に回動させ、拘止具７７に拘止させる。このとき、掴み部材７５は多少緩めにL字型金具と接続させ、拘止具７７に拘止させやすくするとよい。固定金具２は連結部材２７でＬ字型金具７１方向に引張られ、固定金具２の状態は保持される。
固定金具２の拘止装置７による固定状態を開放するときは、拘止具７７に拘止された掴み部材７５を掴み、半時計方向に回動させて、掴み部材７５を拘止具７７から外せばよい。
Ｌ字型金具７１は反時計方向に回動され、Ｌ字型金具７１と連結部材２７でＬ字型金具７１方向に引張れていた固定金具２は拘止装置７による固定状態を開放される。
【００２０】
本発明の固定機構は、開錠できる機構が多数設定できるので防犯性に優れていることが特徴の一つである。例えば、錠部材押下用部材３３の配置位置と鍵挿入路６の配置位置とを変えることにより、開錠できる鍵の押出部８２と押出部８３の位置を変えることが必要となるので、鍵穴の形が同じであり、挿入できる鍵を鍵穴から挿入しても、必ず開錠できることにはならない。
本発明の固定具には、いたずら防止、防犯、駐輪状態時での他車からの接触による固定具の破壊や固定操作の不具合化防止等のためのカバーを設けておいてもよい。そのカバーは固定具全体をカバーするものでもよいが、鍵挿入用穴の部分を除いて固定具全体をカバーできるものが好ましい。さらに固定具にカバーをしたまま固定金具拘止装置を機能できるようなカバーであってもよい。カバーの素材や取り付け法等は特に制限されない。
【００２１】
以下、本発明の錠前の施錠状態（駐輪状態）から、開錠状態（走行状態）にする手順を上記図１、５、６に基づいて説明する。
ケース１に設けられた鍵穴１９から鍵８を挿入する。鍵挿入路６に従って移動する鍵８の先端の押圧部８２が回動片４に接触する。更に鍵８を移動させ、回動片４を押圧・回動させる。回動片４の回動と共に錠部材押下阻止片４５も回動される。鍵挿入路を移動する鍵８は鍵挿入路により鍵８の移動は制限され、鍵８の先端の押圧部８３が錠部材押下用部材３３を徐々に押下げながら、錠部材押下用部材３３のなだらかな傾斜面に沿って移動する。前記錠部材押下用部材３３が徐々に押下がると、錠部材３も徐々に押下げられ、錠部材３の先端部は錠部材嵌入用凹２６から外れる。回動可能となった固定金具２を回動し、固定金具２の端部に固定された任意の物（図示されていない）は、固定から開放され、開錠状態となる。鍵穴１９から鍵８を抜き出してもよい。必要に応じて、固定金具２を連結部材２７で拘止装置７方向に引張り、拘止装置７による固定金具２の固定状態を保持することができる。
【００２２】
以下、本発明の錠前の開錠状態（走行状態）から、施錠状態（駐輪状態）にする手順を上記図に基づいて説明する。
上記開錠状態での固定金具２を、回動を阻止する凸部１７まで回動させると、付勢されている錠部材３は錠部材挿通穴を挿通し、錠部材嵌入用凹部２６に嵌入・嵌合する。固定金具２は固定され、施錠状態になる。
【００２３】
本発明の固定具は、回動運動できる物など多くの物を固定させることができる。すなわち、固定金具２の端部に設けた固定手段により、固定しようとする物が固定されることになる。固定する物の具体例を図９及び図１０に基づいて説明するが、本発明はこの具体例に限定されない。なお、本発明の固定具を例えば自転車など任意の物に固定する方法は特に制限されない。
図９は本発明の固定具を備えた自転車の駐輪状態の部分概略図であり、本発明の固定具で自転車スタンドをロック状態にした状態を示す図である。
本発明の固定具９８は自転車の所定部位に固定されている。自転車スタンド９１は時計方向及び反時計方向の両方向に回動可能に自転車に取り付けられている。該スタンド９１はスタンド固定部９２が一体的に備えられている。該スタンド固定部９２に設けられた切込部（図示されていない）が固定具９８に設けられた固定金具２の固定用切欠部あるいは固定用凸部（図示されていない）と咬み合い、該スタンド固定部は回動不能の状態となり、該スタンド固定部と一体的なスタンド９１も回動不能の状態となった。かくして、自転車に取り付けられたスタンドは本発明の固定具９８の固定金具２によりロック状態になった。
前記回動不能の状態について、図１０に基づいてより詳細に説明する。図１０の（ａ）は前記スタンド固定部が本発明の固定具で固定される部分の拡大斜視図であり、図１０の（ｂ）は前記スタンドが本発明の固定具で固定されたときの部分拡大斜視図である。
自転車スタンド固定部９２の一部に切込部９３が設けられている。この切込部９３に本発明の固定具９８の固定金具２の端部が咬み合うと、該スタンド９１は回動することができない。従って駐輪状態が保たれる。
【００２４】
駐輪状態から走行状態にするには、固定具９８の鍵穴から鍵を挿入し、すでに上述したとおり錠部材押下阻止片４５を回動させ、それと共に錠部材３を押し下げ、固定金具２を回動可能な状態にする。固定金具２の固定用切欠部が設けられた端部を半時計方向に回動させると、固定金具２の当該端部はスタンド固定部９２の切込部９３での咬み合いから外れ、スタンド固定部９２」は回動可能になる。この状態を拘止装置（図示されていない）により保持することが可能となる。なお、固定金具の回動を制限する手段（図示されていない）により、固定金具の回動は所定範囲内に制限され、錠部材３はケース内に保持される。
必要に応じてスタンド９１を回動させ、走行状態にすることができる。本発明の固定具では、錠部材押下阻止片を回動させて錠部材を押し下げることができるようにすること、及び錠部材３を押し下げること、の二つの点を解決しなければ、ロック状態から開放することができないのであるから、本発明の固定具は極めて防犯性が高い固定具であるといえる。
【００２５】
走行状態から駐輪状態にするには、スタンド固定部９２を回動させ、スタンド固定部９２の切込部９３と固定具９８の固定金具２の端部に設けられた固定用切欠部あるいは固定用凸部（図示されていない）と咬み合させればよい。スタンド固定部９２の切込部９３に固定金具２の端部が咬み合うと、固定金具２は回動されることに成り、付勢されている上部材３の端部は固定金具２に設けられた錠部材嵌入用凹部２６に嵌入し、固定金具２は回動不能となる。従って、スタンド固定部９２を回動不能となり、スタンド９１も回動不能隣、ロック状態となる。特に、固定金具２の端部がスタンド固定部９２の切込部９３方向に付勢されていると、スタンド固定部９２の切込部９３に固定具９８の固定金具２の端部に設けられた固定用切欠部あるいは固定用凸部（図示されていない）が咬み合させれるように、スタンド固定部９２を移動させるだけで、上記ロック状態とすることができるので、その点でも、本発明の固定具は有利である。
【００２６】
本発明の固定具を、固定する手段は特に限定されないので、固定される物も特に限定されない。好ましい固定される物は、上記錠前の固定金具２の端部の形、特に切欠部の形や凸部の形と咬み合うことができるような切欠部を設けることができる物である。
【図面の簡単な説明】
【００２７】
【図１】本発明の錠前を示す斜視図である。
【図２】（ａ）は本発明の錠前内に配置される固定金具２を示す斜視図であり、（ｂ）は前記固定金具２のケース表面と接触面から眺めた固定金具２を示す斜視図である。
【図３】（ａ）は上記錠前を開錠するときに挿入する鍵穴の正面図であり、（ｂ）は前記鍵穴に挿入する鍵の一例を示す斜視図であり、（ｃ）は図４の（ｂ）でのＤ方向からみた正面図である。
【図４】ケースの内部の錠構造の主要部を構成する部品とそれら部品をどのように配置するかを示す斜視図である。
【図５】（ａ）は本発明の固定機構において、固定されたときの機構の要部の断面図であり、図１のほぼＡ−Ａ断面図であり、（ｂ）は本発明の固定機構において、固定されたときの機構の要部の（ａ）と異なる方向から見た断面図であり、図１のほぼＢ−Ｂ断面図である。
【図６】（ａ）は本発明の固定機構において、固定を開放したときの機構の要部の断面図であり、図１のほぼＡ−Ａ断面図であり、（ｂ）は本発明の固定機構において、固定を開放したときの機構の要部の（ａ）と異なる方向から見た断面図（錠部材押下阻止片を示す）であり、図１のほぼＢ−Ｂ断面図であり、（ｃ）は（ｂ）と同様であり、回動片４が理解しやすい断面図である。
【図７】固定金具の拘止装置７を構成する部品とその位置関係を示す斜視図である。
【図８】固定金具２が拘止装置７により固定状態に保持されたときのケース１表面に設けた拘止装置７の斜視図である。
【図９】本発明の固定具を備えた自転車の駐輪状態の部分概略図である。
【図１０】（ａ）は前記スタンド固定部が本発明の固定具で固定される部分の拡大斜視図であり、（ｂ）は前記スタンドが本発明の固定具で回動不能の状態となったときの部分拡大斜視図である。
【符号の説明】
【００２８】
１  ケース
１５  固定補助部材
１６  バネの係止具
１７  固定金具の回動を阻止する凸部
１８  錠部材挿通穴
１９  鍵穴
２  固定金具
２１  バネ
２２  ボルト
２３  固定用切欠部
２４  固定用凸部
２５  バネの係止穴
２６  錠部材嵌入用凹部
２７  連結部材
２８  連結部材を支持する保持具
３  錠部材
３１  錠部材保持具
３２  バネ
３３  錠部材押下用部材
３４  受け部
３５  傾斜面
４  回動片
４１  ヒンジ
４２  受け具
４５錠部材押下阻止片
６  鍵挿入路
６１  ほぼコ字型部材
６２  ほぼ逆Ｌ字型部材
７  拘止装置
７１  Ｌ字型金具
７２  連結部材接続用穴
７３  掴み部材接続用穴
７４  ケース接続用穴
７５  掴み部材
７６  Ｌ字型金具接続用穴
７７  拘止具  
８  鍵本体
８１  つまみ
８２  押圧部
８３  押圧部
８４  凹部
９  自転車後輪部分
９１  スタンド
９２  スタンド固定部
９３  切込部
９８  固定具
【要約】 
【課題】
ワイヤを用いず、簡単な操作で施錠、開錠でき、しかも防犯性が高い固定具を提供すること。
【解決手段】
鍵穴と錠部材挿通穴を設けたケースと、
前記鍵穴に向かって下り勾配の傾斜面を有する錠部材押下用部材が所定位置に固定された錠部材であって、所定方向に付勢され、前記挿通穴に挿通可能な錠部材と、
前記錠部材を所定方向に移動可能に保持する錠部材保持具と、
前記ケース内面の所定位置に押圧・回動可能に取り付けられ、所定方向に付勢された回動片と、
前記回動片と一体的に回動する錠部材押下阻止片と、
前記ケースと接触する面に錠部材嵌入用凹部が設けられ、一方の端部に固定手段が設けられ、ほぼ中央部で前記ケースに回動可能に取り付けられた固定金具と、
前記鍵穴から鍵が挿入される鍵の挿入路を備える固定具。
【選択図】          図４【図１】
0004156658.tif 000002
【図２】
0004156658.tif 000003
【図３】
0004156658.tif 000004
【図４】
0004156658.tif 000005
【図５】
0004156658.tif 000006
【図６】
0004156658.tif 000007
【図７】
0004156658.tif 000008
【図８】
0004156658.tif 000009
【図９】
0004156658.tif 000010
【図１０】
0004156658.tif 000011